(57)【要約】【課題】温風吹出口を開閉するシャッタの動きが悪くなっても、使用者の希望によりシャッターを常に開放した状態にして暖房運転できる温風暖房機を提供する。【解決手段】  温風吹出口１を開閉するシャッタ５を暖房運転の開始時及び停止時に開閉させる通常モードと、シャッタ５を常に開放したままの状態にする開放固定モードとを備え、このモードを切替自在に設けたので、長期間の使用によりシャッタ５の動きが悪くなったり、シャッタエラーが発生して使用できなくなったり、使用者の好みで開放したままにしたい時、簡単にシャッタを開放したままにして暖房運転を行うことができ、使い勝手をよくすることができるものである。【選択図】  図４
2007333339.tif 000002
【特許請求の範囲】
【請求項１】
温風吹出口を有する本体と、気化させた燃料を燃焼するバーナと、該バーナの燃焼により発生した熱を温風吹出口から吹き出させる送風ファンと、前記温風吹出口を開閉するシャッタとを備えた温風暖房機に於いて、前記シャッタを暖房運転の開始時及び停止時に開閉させる通常モードと、シャッタを常に開放したままの状態にする開放固定モードとを備えたことを特徴とする温風暖房機。
【請求項２】
前記シャッタの通常モードと開放固定モードとの切替を、操作部の複数のボタンを所定時間同時押し操作することにより切り替えることを特徴とする請求項１記載の温風暖房機。
【請求項３】
前記シャッタの動作が正常でない時、シャッタエラーと判定する制御部を備え、該制御部はシャッタエラーと表示部に表示すると共に、シャッタのモードを開放固定モードに設定して温風吹出口を開放したままの状態とすることを特徴とする請求項２記載の温風暖房機。
【発明の詳細な説明】
【技術分野】
【０００１】
この発明は温風を吹き出して室内を暖房する温風暖房機に関するものである。
【背景技術】
【０００２】
従来よりこの種のものでは、例えば図５に示すように、１は温風吹出口で、本体２の前面パネル３に設けたグリル４により形成され、前面パネル３とグリル４の間で昇降するようにシャッタ５が設けられている。
６はシャッタ５を昇降させるシャッタモータで、そのシャッタモータ６のモータ軸にクランク７の一端が取り付けられ、該クランク７の他端にはシャッタ５の上部に設けた横長穴に係合するローラ８が取り付けられている。
【０００３】
前記シャッタ５は両側の昇降ガイド９に沿って昇降し、シャッタ５の開状態（上限位置）と閉状態（下限位置）はセンサ（図示せず）により検出される。
１０はバーナで、燃焼用ファン１１により吸い込まれる燃焼用空気と電磁ポンプ（図示せず）により供給される燃料とを予熱された気化器１２内で混合してガス化し燃焼させるもので、バーナ１０の上部は燃焼筒１３で覆われているものである。
【０００４】
前記燃焼ガスは燃焼筒１３の上部開口１４より上方に流れ、送風ファン１５によりバーナ１０の燃焼によって発生した熱を送風と共に温風として温風吹出□１より吹き出させるものである。
１６は操作部１７に設けられ暖房運転のオン・オフを行う運転スイッチ、１８は暖房運転の制御を行う制御部１９を備えた制御基板である。
【０００５】
そして運転スイッチ１６がＯＮ操作されて運転が開始されると、送風ファン１５を動作させるとともにシャッタ５により温風吹出□１を閉塞させ、点火後に、シャッタ５の閉塞を解除して温風吹出□１を開放させ、また運転スイッチ１６がＯＯＦ操作されて運転が停止されると、送風ファン１５の動作を継続させるとともにシャッタ５により温風吹出□１を閉塞させ、消火後に所定時間の間、シャッタ５の閉塞を解除して温風吹出□１を開放させてから、所定時間経過後に送風ファン１５の動作を停止させる。（例えば、特許文献１参照。）
【特許文献１】特開２０００−２８３５６１号公報
【発明の開示】
【発明が解決しようとする課題】
【０００６】
ところでこの従来のものでは、暖房運転のオン・オフによってシャッタが開閉するため、長期間の使用によってシャッタの動きが悪くなりシャッタエラーが発生して使用できなくなったり、使用者の希望により、シャッターを常に開放した状態にして使用したいと思っても、開放したまま暖房運転のオン・オフを行うことができなかった。
【課題を解決するための手段】
【０００７】
そこで、本発明は前記課題を解決するため、請求項１では、温風吹出口を有する本体と、気化させた燃料を燃焼するバーナと、該バーナの燃焼により発生した熱を温風吹出口から吹き出させる送風ファンと、前記温風吹出口を開閉するシャッタとを備えた温風暖房機に於いて、前記シャッタを暖房運転の開始時及び停止時に開閉させる通常モードと、シャッタを常に開放したままの状態にする開放固定モードとを備えたものである。
【０００８】
又請求項２に係る温風暖房機では、特にその構成を、シャッタの通常モードと開放固定モードとの切替を、操作部の複数のボタンを所定時間同時押し操作することにより切り替えるものである。
【０００９】
又請求項３に係る温風暖房機では、特にその構成を、シャッタの動作が正常でない時、シャッタエラーと判定する制御部を備え、該制御部はシャッタエラーと表示部に表示すると共に、シャッタのモードを開放固定モードに設定して温風吹出口を開放したままの状態とするものである。
【発明の効果】
【００１０】
この発明の請求項１によれば、温風吹出口を開閉するシャッタを暖房運転の開始時及び停止時に開閉させる通常モードと、シャッタを常に開放したままの状態にする開放固定モードとを備えたので、長期間の使用によりシャッタの動きが悪くなったり、またそのためにシャッタエラーが発生して使用できなくなったり、使用者の好みで開放したままにしたい時など簡単にャッタを開放したままにして暖房運転を行うことができ、使い勝手をよくすることができるものである。
【００１１】
又本発明の請求項２に記載の温風暖房機によれば、シャッタの通常モードと開放固定モードとの切替を、操作部の複数のボタンを所定時間同時押し操作することにより切り替えるので、シャッタが開閉する通常モードとシャッタが開放されたままとなる開放固定モードとを切替るための操作ボタンが不要となると共に、操作ボタンに何かが当たったりして誤ってモードが切替わってしまうことを防止できるものである。
【００１２】
又本発明の請求項３に記載の温風暖房機によれば、シャッタの動作が正常でない時、シャッタエラーと判定する制御部を備え、該制御部はシャッタエラーと表示部に表示すると共に、シャッタのモードを開放固定モードに設定して温風吹出口を開放したままの状態とするので、シャッタエラーが発生していることを使用者に知らせつつ、暖房運転ができない状態を回避して暖房運転ができるものである。
【発明を実施するための最良の形態】
【００１３】
次に、本発明に係る発明の１実施形態を図面に基づいて説明する。
尚、この１実施形態の温風暖房機は、符号１〜１９の構成は前述の従来例と同様である。
２０は開放固定切替ボタンで、操作する毎にシャッタ５が開放されたままとなる開放固定モードと、シャッタ５が点火時及び消火時に開閉する通常モードとを切り替えるものである。
【００１４】
次に、本実施形態の作動について図４のフローチャート図に基づいて説明する。
まず、制御部１９は、温風暖房機の本体２の電源プラグが電源コンセントに差し込まれているか確認し（Ｓ１）、次に運転スイッチ１６がＯＦＦになっているか確認する。（Ｓ２）
そして運転スイッチ１６がＯＦＦになっている状態で、開放固定モード切替ボタン２０が操作されると（Ｓ３）、シャッタ５が開閉する通常モードが設定されていた場合はシャッタ５が開放されたままとなる開放固定モードに再設定され、シャッタ５が開放されたままとなる開放固定モードが設定されていた場合はシャッタ５が開閉する通常モードに再設定され（Ｓ４）、再設定されたモードを記憶する。（Ｓ５）。
【００１５】
そして記憶されているモードが開放固定モードの状態で、シャッタ５の閉状態が検出されてシャッタ５が閉じたと判断した時（Ｓ７）、異常が発生したものと判断して運転停止動作を行い（Ｓ８）、異常が発生した旨のエラー表示を行う。（Ｓ９）
【００１６】
また、記憶されているモードが開放固定モードの状態で、（Ｓ７）でシャッタ５の閉状態が検出されずにシャッタ５が閉じたと判断しない時、運転スイッチ１６がＯＦＦになっているか確認し（Ｓ１０）、運転スイッチ１６がＯＦＦであれば（Ｓ１）に戻り、運転スイッチ１６がＯＮであれば（Ｓ７）に戻るものである。
尚、シャッタ５が開閉する通常モードとシャッタ５が開放されたままとなる開放固定モードとの切替を開放固定モード切替ボタン２０を操作することにより切り替えているがこれに限定されず、操作部１７に設けられた各種ボタンのうち、複数のボタンを同時に所定時間押し操作することにより通常モードと開放固定モードとを切り替えてもよいものである。    
【００１７】
これによりシャッタ５が開閉する通常モードとシャッタ５が開放されたままとなる開放固定モードとを切替るための操作ボタンが不要となると共に、操作ボタンに何かが当たったりして誤ってモードが切替わってしまうことを防止できるものである。
【００１８】
このように、シャッタ５が開閉する通常モードとシャッタ５が開放されたままとなる開放固定モードとを設け、モードの切替操作を行うことにより通常モードと開放固定モードを任意に設定できるので、長期間の使用によりシャッタ５の動きが悪くなったり、またそのためにシャッタエラーが発生して使用できなくなったり、使用者の好みで開放したままにしたい時など簡単にャッタ５を開放したままにして暖房運転を行うことができ、使い勝手をよくすることができるものである。
【００１９】
またその他の実施例として制御部１９はシャッタ５の動作が悪くシャッタエラーと判定した時、シャッタエラーを表示すると共に、シャッタ５のモードを自動的に開放固定モードに設定して温風吹出口１を開放したままにし、シャッタエラーを表示しつつも通常の運転を可能にしてもよいものである。
【００２０】
それによりシャッタエラーが発生していることを使用者に知らせつつ、暖房運転ができない状態を回避して暖房運転ができるようにしたものである。
【図面の簡単な説明】
【００２１】
【図１】この発明の一実施形態のシャッタが閉じた状態を示す外観斜視図。
【図２】同シャッタが閉じた状態を示す外観斜視図。
【図３】同シャッタ部分の概略斜視図。
【図４】同シャッタのモード切替のフローチャート図。
【図５】従来の温風暖房機の略断面図。
【符号の説明】
【００２２】
１    温風吹出口
２    本体
５    シャッタ
１０  バーナ
１５  送風ファン
【図１】
2007333339.tif 000003
【図２】
2007333339.tif 000004
【図３】
2007333339.tif 000005
【図４】
2007333339.tif 000006
【図５】
2007333339.tif 000007